(57)【要約】【課題】収納部を仕切る側板の厚みの無駄を排除しつつ、側板の両側に容易にかつ強固に扉を取り付けることを可能にした収納を提供する。【解決手段】側板１２を共有する隣接した箱型の収納部１０，２０を有し、共有する側板１２の左右両側に開き扉５２，５３を取り付けてなる収納であって、側板１２の左側面に右吊り扉５２を取り付けるための右吊り用蝶番６と、側板１２の右側面に左吊り扉５３を取り付けるための左吊り用蝶番７とを側板１２の上下方向にずらして配置し、右吊り用蝶番６を側板１２に固定する固定部材８と、左吊り用蝶番７を側板１２に固定する固定部材８とが接触しないようにした。また、右吊り扉５２と左吊り扉５３とは、互いに上下方向に反転させたときの蝶番取付位置が同一であり、開き扉５２，５３を左右兼用とした。【選択図】図１
2008173235.tif 000002
【特許請求の範囲】
【請求項１】
側板を共有する隣接した箱型の収納部を有し、前記共有する側板の左右両側に開き扉を取り付けてなる収納であって、
前記側板の左側面に右吊り扉を取り付けるための右吊り用蝶番と、前記側板の右側面に左吊り扉を取り付けるための左吊り用蝶番とを前記側板の上下方向にずらして配置し、前記右吊り用蝶番を前記側板に固定する固定部材と、前記左吊り用蝶番を前記側板に固定する固定部材とが接触しないようにしたことを特徴とする収納。
【請求項２】
前記右吊り扉と前記左吊り扉とは、互いに上下方向に反転させたときの蝶番取付位置が同一であることを特徴とする請求項１に記載の収納。
【請求項３】
前記左右の蝶番はそれぞれ上下２箇所に配置されており、扉の上端部から上側の蝶番までの距離と、扉の下端部から下側の蝶番までの距離とが異なることを特徴とする請求項２に記載の収納。
【請求項４】
前記固定部材は木ネジであり、前記側板の厚さが前記木ネジの挿入長さの２倍以下であることを特徴とする請求項１乃至請求項３のうちいずれか一つに記載の収納。
【発明の詳細な説明】
【技術分野】
【０００１】
本発明は、住宅やオフィスで使用される収納に関する。
【背景技術】
【０００２】
従来、住宅やオフィスでは、固定式（造り付け収納）や可動式（一般の家具）の各種の収納が用いられている。
これらの収納のうち、大型のもの（例えば施工後の幅が概ね２ｍ以上のクローゼット等）は、予め側板や天板等の部材を完全に組み立てた状態では、重量やサイズが過大となるため運搬や家屋への搬入に支障が生じる。そこで、収納を運搬や搬入に適当なサイズに分割したうえで運搬・搬入し、現場で組み立てて完成させることが行われている。
【０００３】
以下に、図１５に示す収納を施工する場合について説明する。
図１５に示す収納５００は、前面に、扉５１，５２，５３，５４，５５が取り付けられている。このうち扉５１，５３は、左側端部に蝶番が取り付けられ時計回りに開く扉（以下、「左吊り扉」という。）であり、扉５２，５４，５５は、右側端部に蝶番が取り付けられ反時計回りに開く扉（以下、「右吊り扉」という。）である。
また、上面には化粧天板９が取り付けられている。
【０００４】
図１６は、収納５００の内部構造を示す斜視図であり、収納５００から扉５１，５２，５３，５４，５５及び化粧天板９を除いた状態を示したものである。
収納５００の内部は、箱状ユニット１００，２００，３００を連結した構造となっている。箱状ユニット１００は、側板１１１，１１２、天板１２１、背板１３１、地板１４１から構成され、箱状ユニット２００は、側板２１２，２１３、天板２２２、背板２３２、地板２４２から構成され、箱状ユニット３００は、側板３１３，３１４、天板３２３、背板３３３、地板３４３から構成されている。
そして、図１７に示すように、箱状ユニット１００，２００，３００を分割した状態で家屋に搬入し、側板１１２と側板２１２、側板２１３と側板３１３を木ネジ等で連結する。さらに、扉５１，５２，５３，５４，５５及び化粧天板９を取り付ければ、図１５に示すような収納５００が完成する。
【０００５】
次に、側板と扉の連結構造について説明する。図１８は、収納５００の側板のうち、箱状ユニット１００と箱状ユニット２００が連結された部分である、側板１１２，２１２を示す正面図である。
側板１１２と側板２１２は、木ネジ２，２で固定されている。また、側板１１２の左側面には、図１５に示す右吊り扉５２を取り付けるための右吊り用蝶番６Ａ，６Ｂが取り付けられ、側板２１２の右側面には、左吊り扉５３を取り付けるための左吊り用蝶番７Ａ，７Ｂが取り付けられている。右吊り用蝶番６Ａと左吊り用蝶番７Ａは、上下方向の同じ高さに配置されており、同様に右吊り用蝶番６Ｂと左吊り用蝶番７Ｂも上下方向の同じ高さに配置されている。
【０００６】
図１９は、図１８の上端部拡大断面図であり、右吊り用蝶番６Ａ及び左吊り用蝶番７Ａは、それぞれ木ネジ８により側板１１２，２１２に固定されている。側板１１２と側板２１２の厚さは、木ネジ８の挿入長さよりも厚くなっており、両側から挿入された木ネジ８が接触しないようになっている。
以上のようにして、側板１１２，２１２の左右両側から扉５２，５３が取り付けられている。
なお、側板１１１，２１３，３１４には、それぞれ同様の蝶番を用いて、扉５１，５４，５５が片側に取り付けられている。
【０００７】
一方、壁材の両側から蝶番等を固定するための構造として、特許文献１には、板材の両側にプレートを配置し、ネジにより両側から引き合うように締め付けて固定するようにした固定用取付けプレートに関する発明が記載されている。
また、特許文献２には、壁材の両側に締結板を配置し、それぞれ２本の締結ネジで固定するものであって、一方の締結ネジで締結板に形成されただぼ状の突起を広げるとともに、他方の締結ネジを壁材に形成された孔の周面に食い込ませて固定するようにした締結板に関する発明が記載されている。
【特許文献１】特開平８−３１２２２９号公報
【特許文献２】特許第３４１１８５７号公報
【発明の開示】
【発明が解決しようとする課題】
【０００８】
しかし、上記従来の収納の場合、隣接する箱状ユニットの側板２枚が連結されるが、完成後に構造的に必要な側板は１枚であり、１枚分の厚みが無駄となっていた。また、側板の厚みが増すことにより、収納部の容積を圧迫することになっていた。
また、各箱状ユニットの組立に使用する金具と、箱状ユニット同士を連結する金具が別々に必要であり、多数の金具と工程を要していた。また、隣接する側板を連結するため、がたつきが生じやすかった。
【０００９】
側板の厚みの無駄に対しては、連結部分の側板の厚みを薄くして対応することが考えられるが、側板が薄いと、両側から扉用の蝶番を取り付ける場合に、両側から挿入した木ネジが接触して蝶番の固定が不十分となる恐れがあった。
一方、特許文献１や特許文献２に記載された蝶番の取付構造によれば、薄い側板に両側から扉用の蝶番を取り付けることが可能であるが、専用の取付けプレートが必要でありコストが増加する恐れがあった。
【００１０】
そこで本発明は、上記従来の課題を解決するためのものであり、収納部を仕切る側板の厚みの無駄を排除しつつ、側板の両側に容易にかつ強固に扉を取り付けることを可能にした収納を提供するものである。
【課題を解決するための手段】
【００１１】
上記従来の課題を解決するために、請求項１に係る発明の収納は、側板（１２）を共有する隣接した箱型の収納部（１０，２０）を有し、前記共有する側板（１２）の左右両側に開き扉（５２，５３）を取り付けてなる収納であって、前記側板（１２）の左側面に右吊り扉（５２）を取り付けるための右吊り用蝶番（６）と、前記側板（１２）の右側面に左吊り扉（５３）を取り付けるための左吊り用蝶番（７）とを前記側板（１２）の上下方向にずらして配置し、前記右吊り用蝶番（６）を前記側板（１２）に固定する固定部材（８）と、前記左吊り用蝶番（７）を前記側板（１２）に固定する固定部材（８）とが接触しないようにしたことを特徴とする。
【００１２】
また、請求項２に係る発明は、請求項１に記載の発明において、前記右吊り扉（５２）と前記左吊り扉（５３）とは、互いに上下方向に反転させたときの蝶番取付位置が同一であることを特徴とする。
【００１３】
また、請求項３に係る発明は、請求項２に記載の発明において、前記左右の蝶番（６，７）はそれぞれ上下２箇所に配置されており、扉（５２，５３）の上端部から上側の蝶番（６Ａ，７Ａ）までの距離（Ｌ，Ｎ）と扉（５２，５３）の下端部から下側の蝶番（６Ｂ，７Ｂ）までの距離（Ｎ，Ｌ）とが異なることを特徴とする。
【００１４】
また、請求項４に係る発明は、請求項１乃至請求項３のうちいずれか一つに記載の発明において、前記固定部材（８）は木ネジであり、前記側板（１２）の厚さ（Ｗ）が前記木ネジの挿入長さの２倍以下であることを特徴とする。
【００１５】
なお、括弧内の記号は、発明を実施するための最良の形態および図面に記載された対応要素または対応事項を示す。
【発明の効果】
【００１６】
請求項１に記載の発明によれば、隣接した箱型の収納部は側板を共有しているので、収納部と収納部の隣接部分の側板が１枚となり、無駄な厚みを排除して、収納部の容積を大きくすることができる。また、連結部分の金具が少なくなり、がたつきも生じにくい。
また、共有する側板の左右両側に開き扉を取り付けるにあたって、側板の左側面に右吊り扉を取り付けるための右吊り用蝶番と、側板の右側面に左吊り扉を取り付けるための左吊り用蝶番とを側板の上下方向にずらして配置するので、右吊り用蝶番を側板に固定する固定部材と、左吊り用蝶番を側板に固定する固定部材とを接触しないようにすることができる。
これにより、側板の厚みが薄くても容易にかつ強固に扉を取り付けることができる。
【００１７】
また、請求項２に記載の発明によれば、請求項１に記載の発明の作用効果に加えて、右吊り扉と左吊り扉とは、互いに上下方向に反転させたときの蝶番取付位置が同一であるので、開き扉を左右兼用とすることができ、効率的に製造することができる。
【００１８】
また、請求項３に記載の発明によれば、請求項２に記載の発明の作用効果に加えて、右吊り用蝶番と左吊り用蝶番のそれぞれを上下２箇所に取り付ける場合に、扉の上端部から上側の蝶番までの距離と扉の下端部から下側の蝶番までの距離とが異なるように配置することで、容易に左右兼用の開き扉とすることができる。
【００１９】
また、請求項４に記載の発明によれば、請求項１乃至請求項３のうちいずれか一つに記載の発明の作用効果に加えて、側板の厚さを、固定部材である木ネジの挿入長さの２倍以下としたので、蝶番を強固に取り付けながら側板の厚さを薄くして、収納部の容積をできるだけ大きくすることができる。
【発明を実施するための最良の形態】
【００２０】
次に、図１乃至図１５を参照して、本発明の実施形態１に係る収納について説明する。実施形態１に係る収納１の外観は、図１５に示す収納５００と同一であり、前面に、扉５１，５２，５３，５４，５５が取り付けられている。このうち扉５１，５３は、左側端部に蝶番が取り付けられ時計回りに開く「左吊り扉」であり、扉５２，５４，５５は、右側端部に蝶番が取り付けられ反時計回りに開く「右吊り扉」である。
また、上面には化粧天板９が取り付けられている。
【００２１】
図１は、収納１の内部構造を示す正面図であり、収納１から扉５１，５２，５３，５４，５５及び化粧天板９を除いた状態を示したものである。収納１の内部には、区分けされた収納部１０，２０，３０が形成されている。
収納部１０は、側板１１，１２、天板２１、背板３１、地板４１に囲まれた箱型となっている。また収納部２０は、側板１２，１３、天板２２、背板３２、地板４２に囲まれた箱型となっている。また収納部３０は、側板１３，１４、天板２３、背板３３、地板４３に囲まれた箱型となっている。
【００２２】
隣接する収納部１０と収納部２０とは側板１２を共有しており、また隣接する収納部２０と収納部３０とは側板１３を共有している。
側板１１には右側面に左吊り扉５１を取り付けるための左吊り用蝶番７，７が、側板１２には左側面に右吊り扉５２を取り付けるための右吊り用蝶番６，６及び右側面に左吊り扉５３を取り付けるための左吊り用蝶番７，７が、側板１３には左側面に右吊り扉５４を取り付けるための右吊り用蝶番６，６が、側板１４には左側面に右吊り扉５５を取り付けるための右吊り用蝶番６，６が、それぞれ上下２箇所に取り付けられている。
【００２３】
図２は、収納１の扉を示す正面図である。左吊り扉５１の左側端部の上下２箇所には、一端が側板１１に取り付けられた左吊り用蝶番７，７の他端が取り付けられている。また、右吊り扉５２の右側端部の上下２箇所には、一端が側板１２に取り付けられた右吊り用蝶番６，６の他端が取り付けられている。また、左吊り扉５３の左側端部の上下２箇所には、一端が側板１２に取り付けられた左吊り用蝶番７，７の他端が取り付けられている。また、右吊り扉５４の右側端部の上下２箇所には、一端が側板１３に取り付けられた右吊り用蝶番６，６の他端が取り付けられている。また、右吊り扉５５の右側端部の上下２箇所には、一端が側板１４に取り付けられた右吊り用蝶番６，６の他端が取り付けられている。
なお、右吊り用蝶番６及び左吊り用蝶番７の取付位置については後述する。
【００２４】
次に、収納１における側板、天板、背板、地板の連結構造について説明する。
図３は、収納１の内部構造を示す斜視図であり、図４は、収納１の内部構造を示す分解斜視図である。
既に説明したように、収納部１０、収納部２０、収納部３０は、それぞれ側板、天板、背板、地板に囲まれた箱型となっている。各板材同士は、木ネジ、釘、接着剤等を用いて接合することができる。
【００２５】
ここで、本実施形態においては、収納部１０と収納部２０により共有される側板１２を、左右から挟み込んだ状態で固定している。すなわち、側板１２の上端部を天板２１と天板２２で左右から挟み込んでいる。また、側板１２の後端部を背板３１と背板３２で左右から挟み込んでいる。また、側板１２の下端部を地板４１と地板４２で左右から挟み込んでいる。
同様に、収納部２０と収納部３０により共有される側板１３を、左右から挟み込んだ状態で固定している。すなわち、側板１３の上端部を天板２２と天板２３で左右から挟み込んでいる。また、側板１３の後端部を背板３２と背板３３で左右から挟み込んでいる。また、側板１３の下端部を地板４２と地板４３で左右から挟み込んでいる。
以上のように、左右から挟み込んだ状態で固定することにより、側板１２，１３を強固に固定することができる。特に側板１２，１３の厚みが薄い場合に効果的である。さらに、側板１２のように左右両側に扉を取り付ける場合には、側板がしっかりとしているため、扉を開閉してもがたつきが生じにくく、極めて効果的である。
【００２６】
なお、本実施形態においては、天板２１，２２，２３を設けたが、図５及び図６に示す他の実施形態に係る収納のように、天板を設けない構成としてもよい。この場合、化粧天板９で上から覆って天板を兼用させるようにすればよい。この場合、強度的には劣るものの軽量化が可能である。
【００２７】
次に、側板と背板の連結構造について詳細に説明する。側板と背板は、木ネジ、釘、接着剤等を用いて接合してもよいが、図７及び図８に示すような連結部材を用いると容易にかつ強固に連結することができる。
図７は、側板１２と背板３１，３２の連結構造を示す平面図（連結前）であり、図８は、側板１２と背板３１，３２の連結構造を示す平面図（連結後）である。
【００２８】
側板１２には、貫通孔が形成されて接続ボルト４が挿通されている。接続ボルト４の両端には、小径の首部４ａ，４ａが形成され、さらに首部４ａ，４ａよりも大径の頭部４ｂ，４ｂが形成されている。
背板３１，３２には、それぞれ横穴５ａが形成され、横穴５ａの内部に偏心カム機構を有する回転接続体５が埋め込まれている。また横穴５ａから側板１２側に向けて通し穴５ｂが形成されている。
【００２９】
側板１２と背板３１，３２を連結する際には、接続ボルト４の首部４ａと頭部４ｂを通し穴５ｂから挿入し、回転接続体５に嵌着させる。その後横穴５ａの開口部からドライバー等を用いて回転接続体５を回転させる。これにより、偏心カム機構を有する回転接続体５と接続ボルト４とが互いに引き寄せられ、側板１２と背板３１，３２を強固に連結することができる。
なお、接続ボルト及び回転接続体の構造については、実開昭５７−１８４３０１号公報、実開昭５９−１８２２４８号公報、実開昭６１−１１９６１５号公報に記載されている。
また、ここでは側板と背板の連結構造について説明したが、側板と天板、側板と地板の連結についても同様に、上記連結部材を用いることができる。
【００３０】
次に、側板と扉の連結構造について詳細に説明する。図９は、側板１２と右吊り扉５２の連結構造を示す斜視図である。
側板１２と右吊り扉５２は、右吊り用蝶番６により開閉自在に連結されている。
右吊り用蝶番６は、いわゆるスライド蝶番であり、側板１２に固定される固定板６ａ、固定板６ａにスライド可能に連結された腕部６ｂ、腕部６ｂに回動可能に連結された首振部６ｃ、右吊り扉５２に固定される固定板６ｄ、及び右吊り扉５２に形成された凹部３に埋設され、連結された首振部６ｃを収容するカップ部６ｅから構成されている。
【００３１】
図１０は、側板１２と右吊り扉５２の連結構造を示す平面図であり、（ａ）は扉が開いた状態を、（ｂ）は扉が閉じた状態をそれぞれ示している。
扉が開いた状態においては、右吊り用蝶番６の首振部６ｃはカップ部６ｅの外部に位置している。一方、扉が閉じた状態においては、首振部６ｃがカップ部６ｅの内部に没入される。こうして右吊り扉５２が側板１２に対して直交する位置になり、扉が閉じられる。
一方、図１１に示すように、側板１２には、カップ部６ｅを埋設するための凹部３を予め形状加工しておく。
なお、ここでは右吊り用蝶番６について説明したが、左吊り用蝶番７についても同様である。
【００３２】
次に、右吊り用蝶番６及び左吊り用蝶番７の取付位置について詳細に説明する。まず扉側の取付位置について説明する。図１２は、実施形態１に係る扉を示す正面図であり、（ａ）は右吊り扉５２を、（ｂ）は左吊り扉５３をそれぞれ示している。
右吊り扉５２の右側端部には、上下２箇所に右吊り用蝶番６Ａ，６Ｂが取り付けられている。なお、図１２（ａ）において蝶番６Ａ，６Ｂは破線で描かれており、図面における裏側に取り付けられていることを示している。
扉５２の上端部から上側の蝶番６Ａまでの距離はＬであり、扉５２の下端部から下側の蝶番６Ｂまでの距離はＮである。また、蝶番６Ａと蝶番６Ｂとの間の距離はＭである。
ここで、Ｌ＞Ｎの関係があり、蝶番６Ａ，６Ｂは扉の上下方向の中心から下方向に偏って配置されている。
【００３３】
一方、左吊り扉５３の左側端部には、上下２箇所に左吊り用蝶番７Ａ，７Ｂが取り付けられている。なお、図１２（ｂ）において蝶番７Ａ，７Ｂは破線で描かれており、図面における裏側に取り付けられていることを示している。
扉５３の上端部から上側の蝶番７Ａまでの距離はＮであり、扉５３の下端部から下側の蝶番７Ｂまでの距離はＬである。また、蝶番７Ａと蝶番７Ｂとの間の距離はＭである。
ここで、Ｎ＜Ｌの関係があり、蝶番７Ａ，７Ｂは扉の上下方向の中心から上方向に偏って配置されている。
【００３４】
以上から明らかなように、図１２（ａ）に示す右吊り扉５２と、図１２（ｂ）に示す左吊り扉５３とは、互いに上下方向に反転させたときの蝶番取付位置が同一となるように形成されている。従って、取っ手（ハンドル）位置以外は同一の加工で製造することが可能である。ここで、扉５２，５３の上端及び下端に予め取っ手（ハンドル）を取り付けるための下穴（化粧面直下まで）を開けておいて、扉を左右のいずれに吊っても常に同じ位置に取っ手（ハンドル）が設置できるようにすることもできる。これによれば、取っ手（ハンドル）の取付位置も共通化できるので、取っ手（ハンドル）位置も同一の加工で製造することが可能である。
なお、蝶番が上下２箇所の場合には、本実施形態のように、扉の上端部から上側の蝶番までの距離と、扉の下端部から下側の蝶番までの距離とを異ならせることで、容易に左右兼用の扉とすることができる。
また、その他の扉５１，５４，５５についても同様に製造することができる。
【００３５】
次に、側板側の蝶番の取付位置について説明する。図１３は、実施形態１に係る側板１２を示す正面図である。
側板１２の左側面には、上下２箇所に右吊り用蝶番６Ａ，６Ｂが取り付けられている。側板１２の上端部から上側の蝶番６Ａまでの距離はＬであり、側板１２の下端部から下側の蝶番６Ｂまでの距離はＮである。また、蝶番６Ａと蝶番６Ｂとの間の距離はＭである。
ここで、Ｌ＞Ｎの関係があり、蝶番６Ａ，６Ｂは側板の上下方向の中心から下方向に偏って配置されている。
【００３６】
一方、側板１２の右側面には、上下２箇所に左吊り用蝶番７Ａ，７Ｂが取り付けられている。側板１２の上端部から上側の蝶番７Ａまでの距離はＮであり、側板１２の下端部から下側の蝶番７Ｂまでの距離はＬである。また、蝶番７Ａと蝶番７Ｂとの間の距離はＭである。
ここで、Ｎ＜Ｌの関係があり、蝶番７Ａ，７Ｂは側板の上下方向の中心から上方向に偏って配置されている。
なお、当然のことながら、図１２及び図１３における距離Ｌ、距離Ｍ、距離Ｎはそれぞれ共通している。
以上により、右吊り用蝶番６Ａと左吊り用蝶番７Ａとは側板１２の上下方向にずらして配置されている。同様に、右吊り用蝶番６Ｂと左吊り用蝶番７Ｂとは側板１２の上下方向にずらして配置されている。
【００３７】
次に、左右の蝶番６，７の側板１２への取付方法について説明する。図１４は、図１３の上端部拡大断面図である。
右吊り用蝶番６Ａの固定板は、側板１２の左側面に固定部材である木ネジ８，８を用いて固定されている。同様に左吊り用蝶番７Ａの固定板は、側板１２の右側面に固定部材である木ネジ８，８を用いて固定されている。
なお、下側の右吊り用蝶番６Ｂ、左吊り用蝶番７Ｂについても同様である。
【００３８】
ここで、右吊り用蝶番６Ａと左吊り用蝶番７Ａとは側板１２の上下方向にずらして配置されているので、右吊り用蝶番６Ａを側板１２に固定する木ネジ８，８と、左吊り用蝶番７Ａを側板１２に固定する木ネジ８，８とが接触しないようになっている。従って、右吊り用蝶番６Ａと左吊り用蝶番７Ａとを強固に側板１２に固定することができるようになっている。
このとき、従来のように右吊り用蝶番６Ａと左吊り用蝶番７Ａとが側板１２の同じ高さに配置される場合には、木ネジ同士が接触しないように側板１２の厚みが木ネジ８の挿入長さの２倍以上必要となる。これに対して、本実施形態のように右吊り用蝶番６Ａと左吊り用蝶番７Ａとが上下方向にずらして配置されていれば、側板１２の厚みＷは、木ネジ８の側板１２への挿入長さの２倍以下でよく、最低限、木ネジ８の先端が飛び出さないように、木ネジ８の側板１２への挿入長さより少し厚ければよい。
【００３９】
以上説明したように、実施形態１に係る収納１によれば、隣接した箱型の収納部１０，２０は側板１２を共有しているので、収納部１０と収納部２０の隣接部分の側板が１枚となり、無駄な厚みを排除して、収納部１０，２０の容積を大きくすることができる。また、連結部分の金具が少なくなり、がたつきも生じにくい。
また、共有する側板１２の左右両側に開き扉５２，５３を取り付けるにあたって、側板１２の左側に右吊り扉５２を取り付けるための右吊り用蝶番６と、側板１２の右側に左吊り扉５３を取り付けるための左吊り用蝶番７とを側板１２の上下方向にずらして配置するので、右吊り用蝶番６を側板１２に固定する固定部材８と、左吊り用蝶番７を側板１２に固定する固定部材８とを接触しないようにすることができる。これにより、側板１２の厚みが薄くても容易にかつ強固に扉５２，５３を取り付けることができる。
【００４０】
また、右吊り扉５２と左吊り扉５３とは、互いに上下方向に反転させたときの蝶番取付位置が同一であるので、開き扉を左右兼用とすることができ、効率的に製造することができる。
【００４１】
また、右吊り用蝶番６と左吊り用蝶番７のそれぞれを上下２箇所に取り付ける場合に、扉５２，５３の上端部から上側の蝶番６Ａ，７Ａまでの距離Ｌ，Ｎと扉５２，５３の下端部から下側の蝶番６Ｂ，７Ｂまでの距離Ｎ，Ｌとが異なるように配置することで、容易に左右兼用の開き扉とすることができる。
【００４２】
また、側板１２の厚さＷを、固定部材である木ネジ８の挿入長さの２倍以下とすることで、蝶番６，７を強固に取り付けながら側板１２の厚さを薄くして、収納部１０，２０の容積をできるだけ大きくすることができる。
【００４３】
なお、上記実施形態においては、蝶番を上下２箇所に配置したが、上下３箇所以上に配置するようにしてもよい。
【図面の簡単な説明】
【００４４】
【図１】本発明の実施形態１に係る収納の内部構造を示す正面図である。
【図２】実施形態１に係る収納の扉を示す正面図である。
【図３】実施形態１に係る収納の内部構造を示す斜視図である。
【図４】実施形態１に係る収納の内部構造を示す分解斜視図である。
【図５】他の実施形態に係る収納の内部構造を示す斜視図である。
【図６】他の実施形態に係る収納の内部構造を示す分解斜視図である。
【図７】側板と背板の連結構造を示す平面図（連結前）である。
【図８】側板と背板の連結構造を示す平面図（連結後）である。
【図９】側板と扉の連結構造を示す斜視図である。
【図１０】側板と扉の連結構造の（ａ）扉が開いた状態、（ｂ）扉が閉じた状態を示す平面図である。
【図１１】側板の凹部を示す正面図である。
【図１２】実施形態１に係る（ａ）右吊り扉を示す正面図、（ｂ）左吊り扉を示す正面図である。
【図１３】実施形態１に係る側板を示す正面図である。
【図１４】図１３の上端部拡大断面図である。
【図１５】収納を示す外観斜視図である。
【図１６】従来例に係る収納の内部構造を示す斜視図である。
【図１７】従来例に係る収納の内部構造を示す分解斜視図である。
【図１８】従来例に係る側板を示す正面図である。
【図１９】図１８の上端部拡大断面図である。
【符号の説明】
【００４５】
１      収納
２      木ネジ
３      凹部
４      接続ボルト
４ａ    首部
４ｂ    頭部
５      回転接続体
５ａ    横穴
５ｂ    通し穴
６      右吊り用蝶番
６ａ    固定板
６ｂ    腕部
６ｃ    首振部
６ｄ    固定板
６ｅ    カップ部
７      左吊り用蝶番
８      木ネジ
９      化粧天板
１０      収納部
１１      側板
１２      側板
１３      側板
１４      側板
２０      収納部
２１      天板
２２      天板
２３      天板
３０      収納部
３１      背板
３２      背板
３３      背板
４１      地板
４２      地板
４３      地板
５１      左吊り扉
５２      右吊り扉
５３      左吊り扉
５４      右吊り扉
５５      右吊り扉
１００      箱状ユニット
１１１      側板
１１２      側板
１２１      天板
１３１      背板
１４１      地板
２００      箱状ユニット
２１２      側板
２１３      側板
２２２      天板
２３２      背板
２４２      地板
３００      箱状ユニット
３１３      側板
３１４      側板
３２３      天板
３３３      背板
３４３      地板
５００      収納
【図１】
2008173235.tif 000003
【図２】
2008173235.tif 000004
【図３】
2008173235.tif 000005
【図４】
2008173235.tif 000006
【図５】
2008173235.tif 000007
【図６】
2008173235.tif 000008
【図７】
2008173235.tif 000009
【図８】
2008173235.tif 000010
【図９】
2008173235.tif 000011
【図１０】
2008173235.tif 000012
【図１１】
2008173235.tif 000013
【図１２】
2008173235.tif 000014
【図１３】
2008173235.tif 000015
【図１４】
2008173235.tif 000016
【図１５】
2008173235.tif 000017
【図１６】
2008173235.tif 000018
【図１７】
2008173235.tif 000019
【図１８】
2008173235.tif 000020
【図１９】
2008173235.tif 000021